(57)【要約】【課題】  小さい力量で容易に手動による操作状態を確保する。【解決手段】  所定の部材が配置されたシャーシ３１と、シャーシに回転自在に支持されたウォームホイール４７、５５と、シャーシ上に配置され二つの移動用挿通孔３８ａ、３８ｂ、５０ａ、５０ｂを有するモーター支持板３７、４９と、モーター支持板に取り付けられた駆動モーター４２、５２と、駆動モーターのモーター軸に固定されウォームホイールに噛合されるウォーム４３、５３と、軸部４１ｂと軸部の一端に設けられた押さえ部４１ａとを有し軸部がモーター支持板の移動用挿通孔に挿通されてシャーシに取り付けられた二つの取付ピン４１と、取付ピンの押さえ部とモーター支持板との間に配置されモーター支持板をシャーシに押し付ける方向へ付勢する二つのバネ部材４０とを設け、モーター支持板をウォームホイールの軸方向においてシャーシから離隔する方向へ移動させてウォームとウォームホイールの噛合を解除可能とした。【選択図】        図６
2011248974.tif 000002
【特許請求の範囲】
【請求項１】
記録媒体に対して情報信号の記録又は再生を行い、
所定の部材が配置されたシャーシと、
前記シャーシに回転自在に支持されたウォームホイールと、
前記シャーシ上に配置され少なくとも二つの移動用挿通孔を有するモーター支持板と、
前記モーター支持板に取り付けられた駆動モーターと、
前記駆動モーターのモーター軸に固定され前記ウォームホイールに噛合されるウォームと、
軸部と前記軸部の一端に設けられた押さえ部とを有し前記軸部が前記モーター支持板の移動用挿通孔に挿通されて前記シャーシに取り付けられた少なくとも二つの取付ピンと、
前記取付ピンの押さえ部と前記モーター支持板との間に配置され前記モーター支持板を前記シャーシに押し付ける方向へ付勢する少なくとも二つのバネ部材とを備え、
前記モーター支持板を前記ウォームホイールの軸方向において前記シャーシから離隔する方向へ移動させて前記ウォームと前記ウォームホイールの噛合を解除可能とした
記録媒体駆動装置。
【請求項２】
前記記録媒体が挿入され挿入された前記記録媒体を保持し所定の方向へ移動可能とされたディスクホルダーを設け、
前記ディスクホルダーが前記駆動モーターの駆動力によって前記所定の方向へ移動可能とされ、
前記モーター支持板を移動させて前記ウォームと前記ウォームホイールの噛合を解除したときに手動により前記ディスクホルダーを前記所定の方向へ移動可能とした
請求項１に記載の記録媒体駆動装置。
【請求項３】
前記シャーシに治具挿入孔を形成し、
前記治具挿入孔から挿入された治具によって前記モーター支持板を押圧して前記ウォームホイールの軸方向へ移動可能とした
請求項１に記載の記録媒体駆動装置。
【請求項４】
前記治具に保持用突部を設け、
前記シャーシの治具挿入孔に前記治具を挿入して回転させ前記保持用突部を前記シャーシと前記モーター支持板の間に配置し、前記ウォームと前記ウォームホイールの噛合が解除された状態を保持するようにした
請求項３に記載の記録媒体駆動装置。
【請求項５】
前記シャーシに、前記移動用挿通孔に挿入され前記バネ部材を支持する取付ボスを設け、
前記取付ピンを前記取付ボスに取り付けた
請求項１に記載の記録媒体駆動装置。
【発明の詳細な説明】
【技術分野】
【０００１】
本発明は記録媒体駆動装置についての技術分野に関する。詳しくは、モーター支持板をウォームホイールの軸方向へ移動させてウォームとウォームホイールの噛合を解除可能として小さい力量で容易に手動による操作状態を確保する技術分野に関する。
【背景技術】
【０００２】
ディスク状記録媒体やテープ状記録媒体等の各種の記録媒体に対する情報信号の記録又は再生を行うことができる記録媒体駆動装置がある。
【０００３】
このような記録媒体駆動装置は、記録媒体がドライブ部まで搬送されて記録媒体に対する情報信号の記録又は再生が行われるものがある。
【０００４】
記録媒体駆動装置に記録媒体が挿入されると、記録媒体は駆動モーターを有する搬送機構によってドライブ部まで搬送されてローディングされ情報信号の記録又は再生が行われ、情報信号の記録又は再生が終了した記録媒体はドライブ部から搬送機構によって搬送されてイジェクトされる。
【０００５】
上記したローディング動作又はイジェクト動作において、例えば、搬送機構の故障等の不具合が発生したときには、記録媒体が搬送されなくなってしまうため、記録媒体駆動装置から記録媒体を取り出すことができなくなってしまう。
【０００６】
そこで、記録媒体駆動装置には、記録媒体を記録媒体駆動装置から取り出すために、駆動モーターの駆動力によらず、手動により記録媒体の強制的なイジェクト動作を行うことが可能とされたものがある（例えば、特許文献１参照）。
【０００７】
【特許文献１】特開２００１−３４４８６０号公報
【発明の開示】
【発明が解決しようとする課題】
【０００８】
ところが、上記した特許文献１に記載された記録媒体駆動装置にあっては、駆動モーターの駆動力の伝達経路を切断することなく滑り機構を伝達経路に介在させて強制的なイジェクト動作を行うようにしている。
【０００９】
従って、滑り機構が介在する分、強制的なイジェクト動作を行うときに滑り機構において摩擦力が生じるため、一定以上の大きな力量によって手動によるイジェクト動作を行う必要がある。
【００１０】
また、強制的なイジェクトを容易に行うことができるようにする必要もある。
【００１１】
そこで、本発明記録媒体駆動装置は、上記した問題点を克服し、小さい力量で容易に手動による操作状態を確保することを課題とする。
【課題を解決するための手段】
【００１２】
記録媒体駆動装置は、上記した課題を解決するために、記録媒体に対して情報信号の記録又は再生を行い、所定の部材が配置されたシャーシと、前記シャーシに回転自在に支持されたウォームホイールと、前記シャーシ上に配置され少なくとも二つの移動用挿通孔を有するモーター支持板と、前記モーター支持板に取り付けられた駆動モーターと、前記駆動モーターのモーター軸に固定され前記ウォームホイールに噛合されるウォームと、軸部と前記軸部の一端に設けられた押さえ部とを有し前記軸部が前記モーター支持板の移動用挿通孔に挿通されて前記シャーシに取り付けられた少なくとも二つの取付ピンと、前記取付ピンの押さえ部と前記モーター支持板との間に配置され前記モーター支持板を前記シャーシに押し付ける方向へ付勢する少なくとも二つのバネ部材とを備え、前記モーター支持板を前記ウォームホイールの軸方向において前記シャーシから離隔する方向へ移動させて前記ウォームと前記ウォームホイールの噛合を解除可能としたものである。
【００１３】
従って、記録媒体駆動装置にあっては、モーター支持板がバネ部材の付勢力に抗してウォームホイールの軸方向へ移動されたときにウォームとウォームホイールの噛合が解除される。
【００１４】
上記した記録媒体駆動装置においては、前記記録媒体が挿入され挿入された前記記録媒体を保持し所定の方向へ移動可能とされたディスクホルダーを設け、前記ディスクホルダーが前記駆動モーターの駆動力によって前記所定の方向へ移動可能とされ、前記モーター支持板を移動させて前記ウォームと前記ウォームホイールの噛合を解除したときに手動により前記ディスクホルダーを前記所定の方向へ移動可能とすることが望ましい。
【００１５】
モーター支持板を移動させてウォームとウォームホイールの噛合を解除したときに手動によりディスクホルダーを移動可能とすることにより、ディスクホルダーに保持された記録媒体を手動により移動させることが可能となる。
【００１６】
上記した記録媒体駆動装置においては、前記シャーシに治具挿入孔を形成し、前記治具挿入孔から挿入された治具によって前記モーター支持板を押圧して前記ウォームホイールの軸方向へ移動可能とすることが望ましい。
【００１７】
治具挿入孔から挿入された治具によってモーター支持板を押圧してウォームホイールの軸方向へ移動可能とすることにより、治具によってモーター支持板が押圧されてウォームとウォームホイールの噛合が解除される。
【００１８】
上記した記録媒体駆動装置においては、前記治具に保持用突部を設け、前記シャーシの治具挿入孔に前記治具を挿入して回転させ前記保持用突部を前記シャーシと前記モーター支持板の間に配置し、前記ウォームと前記ウォームホイールの噛合が解除された状態を保持することが望ましい。
【００１９】
保持用突部をシャーシとモーター支持板の間に配置してウォームとウォームホイールの噛合が解除された状態を保持することにより、治具から手を離してもウォームとウォームホイールの噛合を解除した状態が保持される。
【００２０】
上記した記録媒体駆動装置においては、前記シャーシに、前記移動用挿通孔に挿入され前記バネ部材を支持する取付ボスを設け、前記取付ピンを前記取付ボスに取り付けることが望ましい。
【００２１】
シャーシに、移動用挿通孔に挿入されバネ部材を支持する取付ボスを設け、取付ピンを取付ボスに取り付けることにより、取付ピンとモーター支持板の間にバネ部材が配置される。
【発明の効果】
【００２２】
本発明記録媒体駆動装置は、記録媒体に対して情報信号の記録又は再生を行い、所定の部材が配置されたシャーシと、前記シャーシに回転自在に支持されたウォームホイールと、前記シャーシ上に配置され少なくとも二つの移動用挿通孔を有するモーター支持板と、前記モーター支持板に取り付けられた駆動モーターと、前記駆動モーターのモーター軸に固定され前記ウォームホイールに噛合されるウォームと、軸部と前記軸部の一端に設けられた押さえ部とを有し前記軸部が前記モーター支持板の移動用挿通孔に挿通されて前記シャーシに取り付けられた少なくとも二つの取付ピンと、前記取付ピンの押さえ部と前記モーター支持板との間に配置され前記モーター支持板を前記シャーシに押し付ける方向へ付勢する少なくとも二つのバネ部材とを備え、前記モーター支持板を前記ウォームホイールの軸方向において前記シャーシから離隔する方向へ移動させて前記ウォームと前記ウォームホイールの噛合を解除可能としている。
【００２３】
従って、小さい力量で噛合の解除のための操作を行うことができ、小さい力量で容易に手動による噛合の解除のための操作状態を確保することができる。
【００２４】
請求項２に記載した発明にあっては、前記記録媒体が挿入され挿入された前記記録媒体を保持し所定の方向へ移動可能とされたディスクホルダーを設け、前記ディスクホルダーが前記駆動モーターの駆動力によって前記所定の方向へ移動可能とされ、前記モーター支持板を移動させて前記ウォームと前記ウォームホイールの噛合を解除したときに手動により前記ディスクホルダーを前記所定の方向へ移動可能としている。
【００２５】
従って、ウォームとウォームホイールの噛合を解除することによりディスクホルダーを手動により移動させることが可能であるため、記録媒体駆動装置からディスクカートリッジを手動により強制的に取り出すことができる。
【００２６】
請求項３に記載した発明にあっては、前記シャーシに治具挿入孔を形成し、前記治具挿入孔から挿入された治具によって前記モーター支持板を押圧して前記ウォームホイールの軸方向へ移動可能としている。
【００２７】
従って、ウォームとウォームホイールの噛合の解除操作が容易であり、ウォームとウォームホイールの噛合の解除を容易にかつ短時間で行うことができる。
【００２８】
請求項４に記載した発明にあっては、前記治具に保持用突部を設け、前記シャーシの治具挿入孔に前記治具を挿入して回転させ前記保持用突部を前記シャーシと前記モーター支持板の間に配置し、前記ウォームと前記ウォームホイールの噛合が解除された状態を保持するようにしている。
【００２９】
従って、治具から手を離してもウォームとウォームホイールの噛合が解除された状態を保持することができ、ギヤの回転操作を容易に行うことができる。
【００３０】
請求項５に記載した発明にあっては、前記シャーシに、前記移動用挿通孔に挿入され前記バネ部材を支持する取付ボスを設け、前記取付ピンを前記取付ボスに取り付けている。
【００３１】
従って、ウォームとウォームホイールの噛合を解除するための構造が簡素であり、構造の簡素化を図った上でウォームとウォームホイールの噛合を容易に解除することができ、製造コストの高騰を抑制することができる。
【発明を実施するための最良の形態】
【００３２】
以下に、本発明記録媒体駆動装置を実施するための最良の形態を添付図面に従って説明する。
【００３３】
以下に示した最良の形態は、本発明記録媒体駆動装置を記録媒体としてディスクカートリッジに収納されるディスク状記録媒体が用いられるディスクチェンジャーに適用したものである。
【００３４】
尚、本発明記録媒体駆動装置の適用範囲はディスクチェンジャーに限られることはない。本発明記録媒体駆動装置は、例えば、ディスク状記録媒体、テープ状記録媒体、カード型記録媒体等の各種の記録媒体を取り扱う各種の記録媒体駆動装置に広く適用することができる。
【００３５】
以下の説明にあっては、ディスクカートリッジをディスクチェンジャーのカートリッジ挿脱口から挿入する方向を前方として前後上下左右の方向を示すものとする。
【００３６】
尚、以下に示す前後上下左右の方向は説明の便宜上のものであり、本発明の実施に関しては、これらの方向に限定されることはない。
【００３７】
［ディスクカートリッジの全体構成］
先ず、記録媒体駆動装置に用いられるディスクカートリッジの構成を説明する（図１及び図２参照）。
【００３８】
ディスクカートリッジ１はケース体２の内部に所要の各部が配置されて成り、ケース体２は上下方向において結合又は分離され可能とされた第１のシェル３と第２のシェル４を有している。ケース体２の内部には複数のディスク状記録媒体１００、１００、・・・が上下方向に等間隔で第２のシェル４に収納可能とされている。
【００３９】
第１のシェル３の内部における前端部には左右に離隔してそれぞれロックレバー５、５が回動自在に支持されている。
【００４０】
第１のシェル３の後端寄りの位置には左右に離隔してそれぞれロックスライダー６、６が前後方向へスライド自在に支持されている。
【００４１】
第１のシェル３の前端部には開閉パネル７が取り付けられている。開閉パネル７には左右に離隔して挿入孔７ａ、７ａが形成されている。開閉パネル７の左右両端部にはそれぞれ外方に開口された挿入用切欠７ｂ、７ｂが形成されている。
【００４２】
第１のシェル３と第２のシェル４が結合され第１のシェル３に開閉パネル７が取り付けられてケース体２が構成された状態においては、ケース体２の左右両側面にそれぞれ前後に延びる挿入溝２ａ、２ａが形成される。挿入溝２ａ、２ａは、後端がそれぞれロックスライダー６、６が位置する部分に連続され、前端がそれぞれ開閉パネル７の挿入用切欠７ｂ、７ｂに連続される。
【００４３】
第１のシェル３と第２のシェル４は、結合された状態においてロックレバー５、５とロックスライダー６、６によってロックされる。
【００４４】
［記録媒体駆動装置の全体構成］
次に、記録媒体駆動装置１０の構成を説明する（図３乃至図７参照）。
【００４５】
記録媒体駆動装置１０は外筐１１の内部に所要の各部が配置されて成る。
【００４６】
外筐１１は、図３に示すように、後方及び下方に開口された外フレーム１２と外フレーム１２の後端部に取り付けられた前後方向を向くパネル１３と外フレーム１２の下端部に取り付けられた上下方向を向くベースフレーム１４とから成る。
【００４７】
パネル１３の上端部には前後に貫通されたカートリッジ挿脱口が形成され、カートリッジ挿脱口がシャッター１５によって開閉可能とされている。パネル１３の下端部にはイジェクト釦１６が配置されている。
【００４８】
外筐１１の内部にはホルダーカバー１７が配置されている。ホルダーカバー１７は天板部１８と天板部１８の左右両側縁からそれぞれ下方へ突出された側板部１９、１９とを有している（図３乃至図５参照）。
【００４９】
側板部１９の上端部には前後に延びる支持孔１９ａが形成されている。
【００５０】
側板部１９には前後に離隔してカム支持孔２０、２０が形成されている。カム支持孔２０は前後に延びる水平部２０ａと上下に延びる垂直部２０ｂとから成り、水平部２０ａの前端部と垂直部２０ｂの上端部とが連続されている。
【００５１】
側板部１９の下端部には前後に離隔して外方へ突出された支持突ピン１９ｂ、１９ｂが設けられている。
【００５２】
ホルダーカバー１７の側板部１９、１９の外面側にはそれぞれスライダー２１、２１が前後方向へ移動自在に支持されている（図４参照）。
【００５３】
スライダー２１には前後に離隔してカム孔２２、２２が形成されている。カム孔２２は前後に延びる直線部２２ａと前方へ行くに従って下方へ変位するように傾斜された傾斜部２２ｂとから成り、直線部２２ａの前端部と傾斜部２２ｂの上端部とが連続されている。スライダー２１の下端部には前後に延びる被支持孔２１ａが形成されている。
【００５４】
スライダー２１は被支持孔２１ａに支持突ピン１９ｂ、１９ｂが摺動自在に係合されホルダーカバー１７の側板部１９に前後方向へ移動自在に支持されている。
【００５５】
ホルダーカバー１７にはディスクホルダー２３が移動自在に支持されている（図４及び図５参照）。ディスクホルダー２３は上ホルダー２４と下ホルダー２５から成る。
【００５６】
上ホルダー２４は上下方向を向く上面部２６と上面部２６の左右両側縁からそれぞれ下方へ突出された横面部２７、２７と上面部２６の後縁から下方へ突出された突面部２８とから成る。
【００５７】
横面部２７の外面には側方へ突出された摺動ピン２７ａ、２７ａが前後に離隔して設けられている。横面部２７、２７の後端部には互いに近付く方向へ突出された解除片２７ｂ、２７ｂが設けられている。横面部２７の下端部には下方に開口された連結溝２７ｃ、２７ｃが前後に離隔して形成されている。
【００５８】
突面部２８には左右に離隔してロック解除片２８ａ、２８ａが設けられている。ロック解除片２８ａ、２８ａは後方へ突出した状態で設けられている。
【００５９】
上ホルダー２４は摺動ピン２７ａ、２７ａ、・・・がそれぞれ支持孔１９ａ、１９ａに側板部１９、１９の内面側から挿入されホルダーカバー１７に前後方向へ移動自在に支持される。
【００６０】
下ホルダー２５は上下方向を向く下板部２９と下板部２９の左右両側縁からそれぞれ上方へ突出された横板部３０、３０とから成る。
【００６１】
横板部３０の外面には側方へ突出された摺動ピン３０ａ、３０ａが前後に離隔して設けられている。横板部３０の上端部には内方へ突出された保持片３０ｂ、３０ｂが前後に離隔して設けられている。
【００６２】
下ホルダー２５は摺動ピン３０ａ、３０ａ、・・・がそれぞれカム支持孔２０、２０、・・・及びカム孔２２、２２、・・・に側板部１９、１９の内面側から挿入されホルダーカバー１７及びスライダー２１、２１に前後方向及び上下方向へ移動自在に支持される。
【００６３】
上ホルダー２４と下ホルダー２５は摺動ピン３０ａ、３０ａ、・・・がそれぞれ連結溝２７ｃ、２７ｃ、・・・に下方から挿入されて係合されることにより上下方向において結合される。
【００６４】
外筐１１のベースフレーム１４上にはシャーシ３１が取り付けられている（図４及び図５参照）。
【００６５】
シャーシ３１には前後に離隔してモーター支持部３２、３２が設けられている（図６参照）。モーター支持部３２には中央部に上下に貫通された鍵穴状の治具挿入孔３２ａが形成されている。モーター支持部３２には左右に離隔してそれぞれ上方へ突出された取付ボス３３、３３が設けられ、取付ボス３３、３３にはそれぞれ上方に開口されたネジ穴３３ａ、３３ａが形成されている。
【００６６】
シャーシ３１の後端部には上方へ突出された支持部材３４が取り付けられている（図６参照）。支持部材３４の上端部には水平方向へ回動可能な排出レバー３５が支持されている。排出レバー３５には被作用部材３６が連結され、被作用部材３６の下端部はシャーシ３１上に位置されている。
【００６７】
シャーシ３１の後側のモーター支持部３２には第１のモーター支持板３７が上下方向へ移動可能な状態で支持されている（図６参照）。
【００６８】
第１のモーター支持板３７は上下方向を向き左右に長い矩形状のベース部３８とベース部３８の右端部から上方へ突出された軸受部３９とが一体に形成されて成る。ベース部３８には、例えば、右端部における前端部と左端部にそれぞれ移動用挿通孔３８ａ、３８ｂが形成されている。
【００６９】
第１のモーター支持板３７は移動用挿通孔３８ａ、３８ｂにそれぞれ取付ボス３３、３３が挿入されてシャーシ３１のモーター支持部３２に配置される。
【００７０】
第１のモーター支持板３７がモーター支持部３２に配置された状態において、取付ボス３３、３３にそれぞれバネ部材４０、４０が外嵌状に支持されそれぞれ取付ピン４１、４１が取付ボス３３、３３に取り付けられる（図６及び図７参照）。
【００７１】
バネ部材４０としては、例えば、圧縮コイルバネが用いられている。
【００７２】
取付ピン４１としては、例えば、ネジ部材が用いられ、取付ピン４１は螺溝を有する軸部４１ａと軸部４１ａの軸方向における上端に設けられた押さえ部４１ｂとから成る。取付ピン４１は軸部４１ａがネジ穴３３ａに螺合されて取付ボス３３に取り付けられる。
【００７３】
取付ピン４１、４１がそれぞれ取付ボス３３、３３に取り付けられた状態においては、図７に示すように、バネ部材４０、４０がそれぞれ第１のモーター支持板３７の上面と取付ピン４１、４１における押さえ部４１ｂ、４１ｂの下面との間に配置される。従って、第１のモーター支持板３２はバネ部材４０、４０に付勢されシャーシ３１に押し付けられた状態とされる。第１のモーター支持板３７はバネ部材４０、４０の付勢力に抗してシャーシ３１から離隔する方向へ移動可能とされ、シャーシ３１に上下方向へ移動自在に支持される。
【００７４】
第１のモーター支持板３７上には第１の駆動モーター４２が取り付けられている（図４及び図６参照）。第１の駆動モーター４２のモーター軸にはウォーム４３が固定されている。第１の駆動モーター４２はネジ止め等によって第１のモーター支持板３７に取り付けられ、ウォーム４３が軸受部３９から外方へ突出されている。
【００７５】
シャーシ３１には回転カム４４が支持され、回転カム４４にはアームレバー４５が連結されている。アームレバー４５の一端部は被作用部材３６の下端部に連結されている。
【００７６】
シャーシ３１には第１の減速ギヤ群４６が支持されている。第１の減速ギヤ群４６はウォームホイール４７を有し、ウォームホイール４７は第１の駆動モーター４２のモーター軸に固定されたウォーム４３に噛合されている。第１の減速ギヤ群４６の一つのギヤ４８は、図１４に示すように、シャーシ３１に形成されたギヤ配置孔３１ａに配置され、シャーシ３１の下面側に露出されている。
【００７７】
回転カム４４は第１の駆動モーター４２の駆動力が第１の減速ギヤ群４６を介して伝達されることにより回転され、回転カム４４の回転に伴ってアームレバー４５が動作される。アームレバー４５が動作されると被作用部材３６が動作され、排出レバー３５が支持部材３４に対して回動される。
【００７８】
シャーシ３１の前側のモーター支持部３２には第２のモーター支持板４９が上下方向へ移動可能な状態で支持されている（図６参照）。
【００７９】
第２のモーター支持板４９は上下方向を向き左右に長い矩形状のベース部５０とベース部５０の右端部から上方へ突出された軸受部５１とが一体に形成されて成る。ベース部５０には、例えば、右端部における前端部と左端部にそれぞれ移動用挿通孔５０ａ、５０ｂが形成されている。
【００８０】
第２のモーター支持板４９は移動用挿通孔５０ａ、５０ｂにそれぞれ取付ボス３３、３３が挿入されてシャーシ３１のモーター支持部３２に配置される。
【００８１】
第２のモーター支持板４９がモーター支持部３２に配置された状態において、取付ボス３３、３３にそれぞれバネ部材４０、４０が外嵌状に支持されそれぞれ取付ピン４１、４１が取付ボス３３、３３に取り付けられる（図６及び図７参照）。
【００８２】
取付ピン４１、４１がそれぞれ取付ボス３３、３３に取り付けられた状態においては、図７に示すように、バネ部材４０、４０がそれぞれ第２のモーター支持板４９の上面と取付ピン４１、４１における押さえ部４１ｂ、４１ｂの下面との間に配置される。従って、第２のモーター支持板４９はバネ部材４０、４０に付勢されシャーシ３１に押し付けられた状態とされる。第２のモーター支持板４９はバネ部材４０、４０の付勢力に抗してシャーシ３１から離隔する方向へ移動可能とされ、シャーシ３１に上下方向へ移動自在に支持される。
【００８３】
第２のモーター支持板４９上には第２の駆動モーター５２が取り付けられている（図４及び図６参照）。第２の駆動モーター５２のモーター軸にはウォーム５３が固定されている。第２の駆動モーター５２はネジ止め等によって第２のモーター支持板４９に取り付けられ、ウォーム５３が軸受部５１から外方へ突出されている。
【００８４】
シャーシ３１には第２の減速ギヤ群５４が支持されている。第２の減速ギヤ群５４はウォームホイール５５を有し、ウォームホイール５５は第２の駆動モーター５２のモーター軸に固定されたウォーム５３に噛合されている。第２の減速ギヤ群５４の一つのギヤ５６は、図１４に示すように、シャーシ３１に形成されたギヤ配置孔３１ａに配置され、シャーシ３１の下面側に露出されている。
【００８５】
シャーシ３１の底面側にはそれぞれスライダー２１、２１に取り付けられた図示しないラックギヤが配置されている。第２の減速ギヤ群５４は一部を除いてシャーシ３１の下面側に支持されている。第２の減速ギヤ群５４はラックギヤに噛合されている。
【００８６】
スライダー２１、２１はそれぞれ第２の駆動モーター５２の駆動力が第２の減速ギヤ群５４を介してラックギヤに伝達されることにより前後方向へ移動される。スライダー２１、２１が前後方向へ移動されると、後述するように、ディスクホルダー２３の下ホルダー２５が上下方向へ移動される。
【００８７】
外筐２の内部には前方側における下端部にディスク状記録媒体１００、１００、・・・に対する情報信号の記録又は再生を行うドライブ部５７が配置されている（図３参照）。
【００８８】
［記録媒体駆動装置の動作］
以下に、記録媒体駆動装置１０の動作について説明する（図８乃至図１３参照）。
【００８９】
先ず、ディスクカートリッジ１が記録媒体駆動装置１０に挿入される前の初期状態について説明する（図８参照）。
【００９０】
初期状態において、スライダー２１は前方の移動端に位置され、ディスクホルダー２３は後方の移動端に位置されている。
【００９１】
このとき上ホルダー２４は後側の摺動ピン２７ａがホルダーカバー１７における支持孔１９ａの後端部に係合されている。下ホルダー２５は摺動ピン３０ａがホルダーカバー１７におけるカム支持孔２０の水平部２０ａの後端部とスライダー２１におけるカム孔２２の直線部２２ａの後端部に係合されている。
【００９２】
初期状態においては、支持部材３４の上端部に支持された排出レバー３５は略左右方向に延びる状態で保持されている。
【００９３】
上記した初期状態において、ディスクカートリッジ１がパネル１３のカートリッジ挿脱口から挿入されると、ディスクカートリッジ１がディスクホルダー２３に後方から挿入されていく（図９参照）。ディスクカートリッジ１がパネル１３のカートリッジ挿脱口から挿入されるときには、シャッター１５が押圧されて回動される。
【００９４】
ディスクカートリッジ１がディスクホルダー２３に後方から挿入されていくと、ケース体２に形成された挿入溝２ａ、２ａにそれぞれ上ホルダー２４の解除片２７ｂ、２７ｂと下ホルダー２５の保持片３０ｂ、３０ｂ、・・・が挿入される。
【００９５】
挿入溝２ａ、２ａにそれぞれ解除片２７ｂ、２７ｂが挿入されると、ディスクカートリッジ１がディスクホルダー２３の奥側まで移動されたときに、解除片２７ｂ、２７ｂによってそれぞれロックスライダー６、６が押圧され、ロックスライダー６、６による第１のシェル３と第２のシェル４のロックが解除される。
【００９６】
また、このときディスクホルダー２３に設けられたロック解除片２８ａ、２８ａがそれぞれ開閉パネル７の挿入孔７ａ、７ａに挿入される。ロック解除片２８ａ、２８ａがそれぞれ挿入孔７ａ、７ａに挿入されると、ロック解除片２８ａ、２８ａによってそれぞれロックレバー５、５が回動され、ロックレバー５、５による第１のシェル３と第２のシェル４のロックが解除される。
【００９７】
上記したロックレバー５、５による第１のシェル３と第２のシェル４のロックの解除は、ロックスライダー６、６による第１のシェル３と第２のシェル４のロックの解除と同時に行われる。
【００９８】
ロックレバー５、５とロックスライダー６、６による第１のシェル３と第２のシェル４のロックが解除されると、第１のシェル３と第２のシェル４が上下方向に分離可能な状態となる。
【００９９】
上記したようにディスクカートリッジ１がディスクホルダー２３の奥側まで挿入されたときには、ディスクカートリッジ１によって図示しないスイッチが操作され図示しない搬送機構によってディスクホルダー２３とディスクカートリッジ１が一体になって前方へ移動されていく。
【０１００】
ディスクホルダー２３は上ホルダー２４の前側の摺動ピン２７ａがホルダーカバー１７における支持孔１９ａの前端部まで移動され、下ホルダー２５は摺動ピン３０ａがホルダーカバー１７におけるカム支持孔２０の水平部２０ａの前端部とスライダー２１におけるカム孔２２の直線部２２ａの前端部まで移動される（図１０参照）。上ホルダー２４の前側の摺動ピン２７ａが支持孔１９ａの前端部に係合され下ホルダー２５の摺動ピン３０ａがカム孔２２の直線部２２ａの前端部に係合された位置は、ディスクホルダー２３の上ホルダー２４と下ホルダー２５の分離が開始される分離開始位置とされる。
【０１０１】
ディスクホルダー２３が分離開始位置まで移動されたときにはディスクカートリッジ１の全体が外筐１１の内部に収納されており、パネル１３のカートリッジ挿脱口が再びシャッター１５によって閉塞される。
【０１０２】
ディスクホルダー２３が分離開始位置まで移動されると、第２の駆動モーター５２の回転が開始され、第２の駆動モーター５２の駆動力がラックギヤを介してスライダー２１、２１に伝達されてスライダー２１、２１がホルダーカバー１７に対して後方へ移動されていく。スライダー２１は被支持孔２１ａがホルダーカバー１７の支持突ピン１９ｂ、１９ｂに案内されて後方へ移動される。
【０１０３】
スライダー２１が後方へ移動されると、ディスクホルダー２３における下ホルダー２５の摺動ピン３０ａがカム孔２２の傾斜部２２ｂを下方へ向けて移動されてホルダーカバー１７におけるカム支持孔２０の垂直部２０ｂを下方へ向けて移動され、下ホルダー２５が下方へ向けて移動されていく。このときディスクカートリッジ１は第１のシェル３が上ホルダー２４のロック解除片２８ａ、２８ａと解除片２７ｂ、２７ｂに保持され、第２のシェル４が下ホルダー２５の保持片３０ｂ、３０ｂ、・・・によって保持されており、第１のシェル３は下方へ移動されず第２のシェル４が下ホルダー２５と一体になって下方へ移動されていく。従って、第１のシェル３と第２のシェル４が分離される。
【０１０４】
スライダー２１が後方へ移動されると、下ホルダー２５は、例えば、下方の移動端まで移動される（図１１参照）。下ホルダー２５が下方の移動端まで移動された状態においては、下ホルダー２５の摺動ピン３０ａがカム孔２２の傾斜部２２ｂの下端部及びカム支持孔２０の垂直部２０ｂの下端部に係合される。
【０１０５】
スライダー２１の移動によって下ホルダー２５が移動されて停止されると、第１の駆動モーター４２の回転が開始されて排出レバー３５が回動される。
【０１０６】
下ホルダー２５の移動中には、排出レバー３５は下ホルダー２５に保持された第２のシェル４の後方に位置されている（図１２参照）。
【０１０７】
上記したように、排出レバー３５が回動されると、下ホルダー２５の停止位置に応じた高さに存在するディスク状記録媒体１００の外周面が排出レバー３５によって前方へ押圧され、押圧されたディスク状記録媒体１００が第２のシェル４からドライブ部５７側へ排出される。ディスク状記録媒体１００が第２のシェル４からドライブ部５７側へ排出されると、排出されたディスク状記録媒体１００が図示しないディスク取出機構によって取り出されてドライブ部５７に装着され、ディスク状記録媒体１００に対する情報信号の記録又は再生が行われる。
【０１０８】
情報信号の記録又は再生が終了したディスク状記録媒体１００は、外筐１１のパネル１３に配置されたイジェクト釦１６が操作されることによりディスク取出機構によってドライブ部５７から取り出されてイジェクト動作が開始される。ディスク取出機構によって取り出されたディスク状記録媒体１００は第２のシェル４の内部に再び収納される。
【０１０９】
ディスク状記録媒体１００が第２のシェル４に収納されると、第２の駆動モーター５２の反転が開始されてスライダー２１、２１がホルダーカバー１７に対して前方へ移動されていく。
【０１１０】
スライダー２１が前方へ移動されると、下ホルダー２５の摺動ピン３０ａがカム孔２２の傾斜部２２ｂを上方へ向けて移動されてホルダーカバー１７におけるカム支持孔２０の垂直部２０ｂを上方へ向けて移動され、下ホルダー２５が第２のシェル４と一体になって上方へ向けて移動されていく。
【０１１１】
下ホルダー２５は、例えば、上方の移動端まで移動され、第１のシェル３に第２のシェル４が結合される（図１０参照）。下ホルダー２５が上方の移動端まで移動された状態においては、下ホルダー２５の摺動ピン３０ａがカム孔２２の直線部２２ａの前端部及びホルダーカバー１７におけるカム支持孔２０の垂直部２０ｂの上端部に係合される。
【０１１２】
下ホルダー２５が下方の移動端から上方の移動端まで移動され第２のシェル４が第１のシェル３に結合されると、搬送機構によってディスクホルダー２３がディスクカートリッジ１と一体になって後方へ移動されていく。
【０１１３】
ディスクホルダー２３は搬送機構によって後方の移動端まで移動され（図９参照）、ディスクカートリッジ１の後端部がパネル１３のカートリッジ挿脱口から後方へ突出される。
【０１１４】
使用者は、パネル１３のカートリッジ挿脱口から後方へ突出されたディスクカートリッジ１の後端部を把持してディスクカートリッジ１を記録媒体駆動装置１０から引き出すことが可能である。
【０１１５】
ディスクカートリッジ１がディスクホルダー２３に対して後方へ移動されるときには、上ホルダー２４に設けられたロック解除片２８ａ、２８ａがそれぞれ開閉パネル７の挿入孔７ａ、７ａから引き出される。ロック解除片２８ａ、２８ａがそれぞれ挿入孔７ａ、７ａから引き出されると、ロックレバー５、５が回動されて第１のシェル３と第２のシェル４が結合状態でロックされる。
【０１１６】
同時に、ディスクカートリッジ１のディスクホルダー２３に対する後方への移動により、上ホルダー２４に設けられた解除片２７ｂ、２７ｂによるロックスライダー６、６に対する押圧が解除される。解除片２７ｂ、２７ｂによるロックスライダー６、６に対する押圧が解除されると、ロックスライダー６、６によって第１のシェル３と第２のシェル４が結合状態でロックされる。
【０１１７】
［ウォームとウォームホイールの噛合の解除動作］
記録媒体駆動装置１０にあっては、以下のように、ウォーム４３、５３とウォームホイール４７、５５の噛合状態をそれぞれ解除することができる（図１４乃至図１７参照）。噛合の解除は、例えば、各部の故障や動作不良等により、排出レバー３５の第１の駆動モーター４２による動作が行われなくなった場合やディスクホルダー２３の第２の駆動モーター５２による動作が行われなくなった場合に行われる。
【０１１８】
ウォーム４３とウォームホイール４７の噛合状態を解除することにより、手動により第１の減速ギヤ群４６を回転させて排出レバー３５を回動させることが可能である。例えば、排出動作の途中で停止した排出レバー３５を手動で初期状態に戻し、ディスク状記録媒体１００をディスクカートリッジ１に強制的に収納することが可能である。
【０１１９】
また、ウォーム５３とウォームホイール５５の噛合状態を解除することにより、手動により第２の減速ギヤ群５４を回転させてディスクホルダー２３を移動させることが可能である。例えば、移動の途中で停止したディスクホルダー２３を手動で初期状態に戻し、ディスクカートリッジ１を記録媒体駆動装置１０から強制的に排出することが可能である。
【０１２０】
ウォーム４３の噛合の解除とウォーム５３の噛合の解除とは何れも同様の操作によって行うことが可能であるため、以下には、例として、ウォーム５３とウォームホイール５５の噛合を解除する場合について説明する。
【０１２１】
噛合の解除は治具６０を用いて行う（図１４及び図１５参照）。治具６０は、例えば、回転操作部６１と回転操作部６１から突出された押圧用軸部６２とから成り、押圧用軸部６２はシャフト部６２ａとシャフト部６２ａの先端部から側方へ突出された保持用突部６２ｂとから成る。
【０１２２】
先ず、治具６０の押圧用軸部６２の先端部をシャーシ３１のモーター支持部３２に形成された治具挿入孔３２ａに下方から挿入していく（図１４参照）。
【０１２３】
次に、治具挿入孔３２ａに挿入した押圧用軸部６２によって第２のモーター支持板４９を下方から押圧し、第２のモーター支持板４９をバネ部材４０、４０の付勢力に抗してモーター支持部３２から離隔させる。第２のモーター支持板４９をモーター支持部３２から離隔させることにより、第２のモーター支持板４９に取り付けられた第２の駆動モーター５２が治具６０によって押し上げられ、ウォーム５３とウォームホイール５５の噛合が解除される。
【０１２４】
次いで、治具６０を押圧用軸部６２の軸回り方向へ回転し、保持用突部６２ｂを第２のモーター支持板４９とモーター支持部３２の間に形成された隙間に位置させる（図１５参照）。このとき治具６０から手を離しても第２のモーター支持板４９とモーター支持部３２の間に保持用突部６２ｂが位置されているため、第２のモーター支持板４９とモーター支持部３２の間に一定の隙間が保持され、ウォーム５３とウォームホイール５５の噛合の解除状態が保持される。
【０１２５】
シャーシ３１のギヤ配置孔３１ａに配置された第２の減速ギヤ群５４のギヤ５６には、挿入用凹部５６ａ、５６ａ、・・・が周方向に離隔して形成されている。このとき回転用治具７０を用いてギヤ５６を回転させることが可能である。
【０１２６】
回転用治具７０は、例えば、回転操作部７１と回転操作部７１から突出された回転用軸部７２とから成り、回転用軸部７２の先端部には周方向に離隔して挿入用突部７２ａ、７２ａ、・・・が設けられている。
【０１２７】
回転用治具７０の挿入用突部７２ａ、７２ａ、・・・をそれぞれ挿入用凹部５６ａ、５６ａ、・・・に挿入し、回転用治具７０を回転用軸部７２の軸回り方向へ回転させることにより、ギヤ５６を回転させることができる。従って、回転用治具７０を用いることにより手動によってギヤ５６を回転させてディスクホルダー２３を初期状態の位置まで移動させ、記録媒体駆動装置１０からディスクカートリッジ１を強制的に排出することが可能である。
【０１２８】
また、ウォーム４３とウォームホイール４７の噛合の解除も上記と同様に行うことができ、ウォーム４３とウォームホイール４７の噛合が解除された状態において、ギヤ４８に形成された挿入用凹部４８ａ、４８ａ、・・・にそれぞれ回転用治具７０の挿入用突部７２ａ、７２ａ、・・・を挿入し、回転用治具７０を回転用軸部７２の軸回り方向へ回転させることにより、ギヤ４８を回転させることができる。従って、回転用治具７０を用いることにより手動によってギヤ４８を回転させて排出レバー３５を初期状態の位置まで回動させ、第２のシェル４にディスク状記録媒体１００を収納することが可能である。
【０１２９】
ウォーム４３、５３とウォームホイール４７、５５の再度の噛合は、治具挿入孔３２ａから治具６０を引き出すことにより行うことができる。
【０１３０】
治具挿入孔３２ａから治具６０を引き出すと、シャーシ３１から離隔する方向へ移動されていた第１のモーター支持板３７又は第２のモーター支持板４９がバネ部材４０、４０、・・・の付勢力によってシャーシ３１に近付く方向へ移動される。従って、第１のモーター支持板３７又は第２のモーター支持板４９はシャーシ３１に接し、ウォーム４３、５３とウォームホイール４７、５５が再び噛合される。
【０１３１】
［まとめ］
以上に記載した通り、記録媒体駆動装置１０にあっては、第１のモーター支持板３７と第２のモーター支持板４９をそれぞれウォームホイール４７、５５の軸方向においてシャーシ３１から離隔する方向へ移動させてウォーム４３、５３とウォームホイール４７、５５の噛合を解除可能としている。
【０１３２】
従って、小さい力量で噛合の解除のための操作を行うことができ、小さい力量で容易に手動による噛合の解除のための操作状態を確保することができる。
【０１３３】
また、記録媒体駆動装置１０にあっては、ウォーム４３とウォームホイール４７の噛合を解除することによりディスクホルダー２３を手動により移動させることが可能であるため、記録媒体駆動装置１０からディスクカートリッジ１を手動により強制的に取り出すことができる。
【０１３４】
さらに、シャーシ３１に形成された治具挿入孔３２ａに治具６０を挿入して第１のモーター支持板３７又は第２のモーター支持板４９を下方から押圧してウォームホイール４７、５５を押し上げることによりウォーム４３、５３とウォームホイール４７、５５の噛合を解除することができる。
【０１３５】
従って、ウォーム４３、５３とウォームホイール４７、５５の噛合の解除操作が容易であり、ウォーム４３、５３とウォームホイール４７、５５の噛合の解除を容易にかつ短時間で行うことができる。
【０１３６】
さらにまた、治具６０に保持用突部６２ｂを設け、治具挿入孔３２ａに治具６０を挿入して回転させ保持用突部６２ｂをシャーシ３１と第１のモーター支持板３７又は第２のモーター支持板４９の間に配置し、ウォーム４３、５３とウォームホイール４７、５５の噛合が解除された状態を保持することができる。
【０１３７】
従って、治具６０から手を離してもウォーム４３、５３とウォームホイール４７、５５の噛合が解除された状態を保持することができ、ギヤ４８、５６の回転操作を容易に行うことができる。
【０１３８】
加えて、記録媒体駆動装置１０にあっては、第１のモーター支持板３７と第２のモーター支持板４９の移動用挿通孔３８ａ、３８ｂ、５０ａ、５０ｂに挿入された取付ボス３３、３３、・・・にバネ部材４０、４０、・・・が支持され取付ピン４１、４１、・・・が取付ボス３３、３３、・・・に取り付けた構造とされている。
【０１３９】
従って、ウォーム４３、５３とウォームホイール４７、５５の噛合を解除するための構造が簡素であり、構造の簡素化を図った上でウォーム４３、５３とウォームホイール４７、５５の噛合を容易に解除することができ、製造コストの高騰を抑制することができる。
【０１４０】
尚、上記には、ディスクホルダー２３又は排出レバー３５を手動で動作させるためにウォーム４３、５３とウォームホイール４７、５５の噛合を解除する構造の例を示したが、上記した構造は、ディスクホルダー２３又は排出レバー３５を手動で動作させるための機構に用いられる構造に限られることはない。上記した構造は、駆動モーターの駆動力がウォームとウォームホイールを介して伝達されて動作される機構であれば、任意の機構に用いることが可能である。
【０１４１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１４２】
【図１】図２乃至図１７と共に本発明記録媒体駆動装置の実施の形態を示すものであり、本図は、記録媒体駆動装置に用いられるディスクカートリッジの斜視図である。
【図２】ディスクカートリッジの側面図である。
【図３】記録媒体駆動装置をディスクカートリッジとともに示す斜視図である。
【図４】記録媒体駆動装置の内部構造を示す分解斜視図である。
【図５】記録媒体駆動装置の内部構造を示す斜視図である。
【図６】シャーシとシャーシに配置された各部を一部を分解して示す斜視図である。
【図７】ウォームとウォームホイールの噛合を解除するための構造の一部を示す拡大断面図である。
【図８】図９乃至図１３と共に記録媒体駆動装置の動作を示すものであり、本図は、記録媒体駆動装置にディスクカートリッジが挿入される前の状態を示す概略側面図である。
【図９】記録媒体駆動装置にディスクカートリッジが挿入されている状態を示す概略側面図である。
【図１０】ディスクホルダーが分離可能位置に移動された状態を示す概略側面図である。
【図１１】ディスクホルダーが下方の移動端に移動された状態を示す概略側面図である。
【図１２】排出レバーによってディスク状記録媒体が第２のシェルから排出される前の状態を示す概略平面図である。
【図１３】排出レバーによってディスク状記録媒体が第２のシェルから排出されている状態を示す概略平面図である。
【図１４】治具が治具挿入孔に挿入される前の状態を示す斜視図である。
【図１５】治具が治具挿入孔に挿入されウォームとウォームホイールの噛合が解除された状態を示す斜視図である。
【図１６】ギヤとギヤを回転するための治具を示す拡大斜視図である。
【図１７】回転用治具によってギヤが回転されている状態を示す斜視図である。
【符号の説明】
【０１４３】
１０…記録媒体駆動装置、２３…ディスクホルダー、３１…シャーシ、３２ａ…治具挿入孔、３３…取付ボス、３７…第１のモーター支持板、３８ａ…移動用挿通孔、３８ｂ…移動用挿通孔、４０…バネ部材、４１…取付ピン、４１ａ…軸部、４１ｂ…押さえ部、４２…第１の駆動モーター、４３…ウォーム、４７…ウォームホイール、４９…第２のモーター支持板、５０ａ…移動用挿通孔、５０ｂ…移動用挿通孔、５２…第２の駆動モーター、５３…ウォーム、５５…ウォームホイール、６０…治具、６２ｂ…保持用突部、１００…ディスク状記録媒体
【図１】
2011248974.tif 000003
【図２】
2011248974.tif 000004
【図３】
2011248974.tif 000005
【図４】
2011248974.tif 000006
【図５】
2011248974.tif 000007
【図６】
2011248974.tif 000008
【図７】
2011248974.tif 000009
【図８】
2011248974.tif 000010
【図９】
2011248974.tif 000011
【図１０】
2011248974.tif 000012
【図１１】
2011248974.tif 000013
【図１２】
2011248974.tif 000014
【図１３】
2011248974.tif 000015
【図１４】
2011248974.tif 000016
【図１５】
2011248974.tif 000017
【図１６】
2011248974.tif 000018
【図１７】
2011248974.tif 000019